(57)【要約】【課題】壁面取付型の照明器具における器具本体の背面側の水密性を高め、器具本体の内部に雨水が浸入するのを万全に防止する。【解決手段】基板部７１、周壁部７２、鍔部７３を有する略皿状の取付金具７を、防水パッキン６を介して壁面Ｗに取り付ける。この取付金具７の基板部７１には、前方へ突出する本体連結用ボルト８３を取り付けておく。器具本体２は、背面側が開口して、その周縁部２２内径が取付金具７の鍔部７３の外側に被装される大きさに形成されるとともに、開口の内周部には、鍔部７３の前面に当接する段部２３が設けられている。この器具本体２を取付金具７に被装して、器具本体２に形成されたボルト挿通孔２５に本体連結用ボルト８３を挿通し、前面側からナット部材８４を締結することにより、取付金具７と器具本体２とが、鍔部７３と段部２３とを密着させた状態で結合される。【選択図】図６
2005251524.tif 000002
【特許請求の範囲】
【請求項１】
壁面に防水パッキンを介して取付金具を取り付け、この取付金具に前方から器具本体を被装してなる照明器具の防水構造であって、
取付金具は、基板部と、基板部の周囲から前方に立ち上げられた周壁部と、周壁部の先端から外方に張り出した鍔部とを有する略皿状に形成され、基板部に形成されたビス挿通孔に挿通される壁面取付用ビスによって壁面に固定される一方、
器具本体は、少なくとも上半部前面側が水密的に形成されて背面側が開口し、背面側開口の周縁部は上記取付金具の鍔部の外側に被装される大きさに形成されるとともに、上記開口の内周面には、上記鍔部の前面に当接する段部が設けられてなり、
上記取付金具の基板部に、基板部と略直交するように前方へ突出する本体連結用ボルトが取り付けられ、この本体連結用ボルトが器具本体に形成されたボルト挿通孔に挿通されて、器具本体の前面側から本体連結用ボルトの前端にナット部材が締結されることにより、取付金具と器具本体とが、鍔部と段部とを密着させた状態で結合されることを特徴とする照明器具の防水構造。
【請求項２】
壁面に防水パッキンを介して取付金具を取り付け、この取付金具に前方から器具本体を被装してなる照明器具の防水構造であって、
取付金具は、基板部と、基板部の周囲から前方に立ち上げられた周壁部と、周壁部の先端から外方に張り出した鍔部とを有する略皿状に形成され、基板部に形成されたビス挿通孔に挿通される壁面取付用ビスによって壁面に固定される一方、
器具本体は、少なくとも上半部前面側が水密的に形成されて背面側が開口し、背面側開口の周縁部が上記取付金具の鍔部の外側に被装される大きさに形成されるとともに、該開口の内周面には、上記周縁部から前面側に向かって上記鍔部の外径以下まで縮径するテーパ部が形成されてなり、
上記取付金具の基板部に、基板部と略直交するように前方へ突出する本体連結用ボルトが取り付けられ、この本体連結用ボルトが器具本体に形成されたボルト挿通孔に挿通されて、器具本体の前面側から本体連結用ボルトの前端にナット部材が締結されることにより、取付金具と器具本体とが、鍔部とテーパ部とを密着させた状態で結合されることを特徴とする照明器具の防水構造。
【請求項３】
灯具の点灯制御装置が、器具本体の内側に取り付けられたことを特徴とする請求項１または２に記載の照明器具の防水構造。
【請求項４】
取付金具の基板部には、本体連結用ボルトを固定するためのボルト取付孔と、電源線を挿通させるための電源線引込孔とが形成されるとともに、上記ボルト取付孔、電源線引込孔、及びビス挿通孔の周囲が、背面側に凹所を形成するように前方に打ち出されてなることを特徴とする請求項１〜３のいずれかに記載の照明器具の防水構造。
【請求項５】
取付金具の基板部の略中央に電源線引込孔が形成され、該電源線引込孔の上方及び下方にビス挿通孔が形成され、該電源線引込孔の左右にボルト取付孔が形成されて、防水パッキンにも上記電源線引込孔及びビス挿通孔に対応する位置に通孔が形成されるとともに、  防水パッキンの最下部に形成された通孔と防水パッキンの下縁部との間には下方に開口する水抜き用の切欠部が設けられたことを特徴とする請求項４に記載の照明器具の防水構造。
【請求項６】
器具本体の内側下部に、略箱状の装置収容部が、周縁部の内側に接するか、または周縁部の内外に跨がるようにして設けられ、この装置収容部内に点灯制御装置の少なくとも一部が収容されるとともに、
取付金具の周壁部の一部が上記装置収容部の幅に合わせて切欠され、この切欠された部分に装置収容部が挿入された状態で、取付金具と器具本体とが結合されることを特徴とする請求項１〜５のいずれかに記載の照明器具の防水構造。
【請求項７】
装置収容部と周縁部とによって形成される隅部近傍に水抜き用の切欠部が設けられたことを特徴とする請求項６に記載の照明器具の防水構造。
【発明の詳細な説明】
【技術分野】
【０００１】
本発明は、壁面に取り付けられる照明器具の防水構造に関する。
【背景技術】
【０００２】
屋外の壁面に取り付けられる玄関灯などの照明器具は、通常、器具本体の背面に合成樹脂発泡体等からなる数ｍｍ厚の防水パッキンを重ね、器具本体と壁面との間に防水パッキンを圧接するようにして壁面に取り付けられる。しかしながら、壁面に、例えば石材調の凹凸意匠や目地部分等があると、防水パッキンと壁面との密着性が損なわれ、防水パッキン自体の弾性で十分な防水性能を確保することが困難になる。そこで、防水パッキンの防水性能のみに依存するのではなく、器具本体背面の水密性を高めて器具本体の内部に雨水が浸入するのを防ぐことが求められる。
【０００３】
かかる課題に着目した先行技術としては、例えば特許文献１に記載された防水型照明器具が知られている。図９は、特許文献１に記載された照明器具９の防水構造を示す断面図である。この照明器具９は、図示しないソケット、点灯装置、スタータ、端子台、電源線挿通孔等を備えた器具本体９１に、グローブ９２を取り付けて構成される。器具本体９２は、略四角形の板状の底板９３の周縁を立ち上げて周壁部９４となし、その先端に外方に屈曲した鍔部９５が形成されており、裏面側に防水パッキン９６が当接されて壁面Ｗに取り付けられる。
【０００４】
グローブ９２は、透光性部材により形成され、背面側に開口した箱状となされるとともに、その開口が器具本体９１よりもひと回り大きく形成されて、器具本体９１に被装されるようになっている。グローブ９２の開口縁に近接した内壁面には、内方に突出するリブ９７が形成されて、グローブ９２を器具本体に被せたときに、このリブ９７が器具本体９１の鍔部９５に当接するようになっている。
【０００５】
グローブ９２の開口側近傍には、グローブ９２を器具本体９１に固定するためのつまみねじ９８が上下に対向して挿通され、このつまみねじ９８が、器具本体９１における上下の鍔部９５の裏側に形成されたねじ受部９９に螺着されることにより、グローブ９２が器具本体９１に結合される。
【特許文献１】特開平８−２７３４２２号公報
【発明の開示】
【発明が解決しようとする課題】
【０００６】
上記特許文献１記載の照明器具９は、グローブ９２が上下のつまみねじ９８によって器具本体９１に取り付けられるが、このつまみねじ９８のねじ軸は、器具本体９１とグローブ９２との当接面に対して平行に設けられているので、つまみねじ９８を強く締着しても、器具本体９１とグローブ９２とを隙間なく密着させるのが困難である。そのため、取付状態によっては器具本体９１とグローブ９２との当接面に隙間が残り、風雨が激しい場合には、壁面Ｗに沿って流下する雨水が吹き上げられて上記隙間から器具本体９１の内部に浸入するおそれがある。
【０００７】
本発明は上記のような問題を改善するためになされたもので、壁面取付型の照明器具における器具本体の背面側の水密性を高め、器具本体に内部に雨水が浸入するのを万全に防止することを解決課題とする。
【課題を解決するための手段】
【０００８】
本発明の照明器具の防水構造は、壁面に防水パッキンを介して取付金具を取り付け、この取付金具に前方から器具本体を被装してなる照明器具の防水構造であって、上記目的を達成するために、以下のような構成を採用している。
【０００９】
すなわち、取付金具は、基板部と、基板部の周囲から前方に立ち上げられた周壁部と、周壁部の先端から外方に張り出した鍔部とを有する略皿状に形成され、基板部に形成されたビス挿通孔に挿通される壁面取付用ビスによって壁面に固定される一方、器具本体は、少なくとも上半部前面側が水密的に形成されて背面側が開口し、背面側開口の周縁部は上記取付金具の鍔部の外側に被装される大きさに形成されるとともに、上記開口の内周面には、上記鍔部の前面に当接する段部が設けられてなり、上記取付金具の基板部に、基板部と略直交するように前方へ突出する本体連結用ボルトが取り付けられ、この本体連結用ボルトが器具本体に形成されたボルト挿通孔に挿通されて、器具本体の前面側から本体連結用ボルトの前端にナット部材が締結されることにより、取付金具と器具本体とが、鍔部と段部とを密着させた状態で結合されることを特徴とする。
【００１０】
この発明の要部は、取付金具と器具本体とを結合するための本体連結用ボルトを、取付金具の周壁部から張り出した鍔部と、器具本体の内周部に形成した段部との当接面に対して直交するように配置した点にある。この構成によれば、器具本体の前面側から本体連結用ボルトに螺着したナット部材を締め付けることにより、鍔部と段部とを隙間なく密着させることができるので、取付金具と器具本体との間から雨水が浸入するのを万全に防止することができる。
【００１１】
また、上記発明と類似した他の構成として、取付金具は上記と同様とし、器具本体は、少なくとも上半部前面側が水密的に形成されて背面側が開口し、背面側開口の周縁部が上記取付金具の鍔部の外側に被装される大きさに形成されるとともに、該開口の内周面には、上記周縁部から前面側に向かって上記鍔部の外径以下まで縮径するテーパ部が形成されてなり、上記取付金具の基板部に、基板部と略直交するように前方へ突出する本体連結用ボルトが取り付けられ、この本体連結用ボルトが器具本体に形成されたボルト挿通孔に挿通されて、器具本体の前面側から本体連結用ボルトの前端にナット部材が締結されることにより、取付金具と器具本体とが、鍔部とテーパ部とを密着させた状態で結合されることを特徴とする。
【００１２】
この構成によっても、器具本体の前面側から本体連結用ボルトに螺着したナット部材を締め付けることにより、鍔部とテーパ部とを隙間なく密着させることができるので、取付金具と器具本体との間から雨水が浸入するのを万全に防止することができる。
【００１３】
さらに上記２種類の構成において、灯具の点灯制御装置を、壁面に取り付けられる取付金具ではなく、前面側に位置する器具本体の内側に配置することにより、取付金具と点灯制御装置との間に空間を確保することができる。これにより、万一、取付金具の前面に浸水を生じた場合でも、点灯制御装置が濡れるのを回避しやすくなる。なお、本発明においては、一般的な照明器具に内蔵される安定器、調光器、グローランプ、アース、センサ、端子台（結線部）等の電気部品類を包括的に点灯制御装置と称する。
【００１４】
さらに、この照明器具においては、取付金具の基板部に、本体連結用ボルトを固定するためのボルト取付孔と、電源線を挿通させるための電源線引込孔とが形成されるが、これらボルト取付孔、電源線引込孔、及びビス挿通孔の周囲を、背面側に凹所を形成するように前方に打ち出し、各孔を防水パッキンから離隔させることによって、各孔から雨水を浸入しにくくしている。
【００１５】
また、取付金具の基板部の略中央に電源線引込孔を形成し、該電源線引込孔の上方及び下方にビス挿通孔を形成し、該電源線引込孔の左右にボルト取付孔を形成して、防水パッキンにも上記電源線引込孔及びビス挿通孔に対応する位置に通孔を形成した状態において、防水パッキンの最下部に形成された通孔と防水パッキンの下縁部との間に下方に開口する水抜き用の切欠部を設けることにより、防水パッキンと取付金具との間に流入した雨水を下方に流下させやすくしている。
【００１６】
さらに本発明は、器具本体の内側下部に、略箱状の装置収容部を、周縁部の内側に接するか、または周縁部の内外に跨がるようにして設け、この装置収容部内に点灯制御装置の少なくとも一部を収容するとともに、取付金具の周壁部の一部を上記装置収容部の幅に合わせて切欠し、この切欠された部分に装置収容部を挿入した状態で、取付金具と器具本体とを結合することを特徴とする。
【００１７】
この構成は、例えばセンサ等の点灯制御装置を器具本体の下部に取り付ける場合を想定したもので、該点灯制御装置を収容するための装置収容部と取付金具の周壁部とが干渉しないように、周壁部の一部を切欠して取付金具と器具本体とを結合している。この構成によると、周壁部を切欠した部分に器具本体の装置収容部を挿入することによって、取付金具と器具本体とが相互に位置決めされるので、取付金具に取り付けた本体連結用ボルトを器具本体のボルト挿通孔に容易に挿通させることができ、取付作業の効率が改善される。
【００１８】
この発明においては、装置収容部と周縁部とによって形成される隅部近傍に水抜き用の切欠部を設けることによって、万一、器具本体の内側に雨水が浸入した場合でも、その雨水を円滑に排出することができる。
【発明の効果】
【００１９】
上述のように構成される本発明の照明器具の防水構造は、略皿状の取付金具の基板部に、基板部と略直交するように前方へ突出する本体連結用ボルトを取り付け、この本体連結用ボルトを器具本体に形成されたボルト挿通孔に挿通して、器具本体の前面側から本体連結用ボルトの前端にナット部材を締結するように構成されているので、ナット部材を締め付けることによって、取付金具の鍔部と、器具本体の段部またはテーパ部とを隙間なく密着させることができる。これにより、取付金具と器具本体との間から雨水が浸入するのを万全に防止することができる。
【発明を実施するための最良の形態】
【００２０】
以下、本発明の実施の形態について図を参照して説明する。
【実施例１】
【００２１】
図１〜図７は本発明の第一実施例を示す。例示する照明器具１は、図１、図２に示すように、壁面Ｗに固定される器具本体２の前面にアーム３が突設されて、アーム３の先端に灯具４が首振り可能に取り付けられるようになっており、器具本体２の下部には人感センサ５が取り付けられている。ただし、本発明の要部は、器具本体２の背面部分と壁面Ｗとの取付構造にあるので、例示のような形態に限らず、例えば器具本体２と灯具４とが一体化された照明器具や、人感センサ５を有しない照明器具についても本発明は適用可能である。
【００２２】
本発明の防水構造は、壁面Ｗに防水パッキン６を介して略皿状の取付金具７を取り付け、この取付金具７に前方から器具本体２を被装して構成される。
【００２３】
防水パッキン６は、例えばウレタンゴムなどの合成樹脂発泡体からなる軟質板材で、全体としては図３に示すように、略円形の下部が弓形に切欠された形状を有している。防水パッキン６の中央には、壁面Ｗから引き出される電源線（図示略）を挿通させるための電源線引込孔６１が形成されている。電源線引込孔６１を挟んで縦中心軸上の上部及び下部には、取付金具７を壁面Ｗに固定するに際して壁面取付用ビス７０を挿通させるためのビス挿通孔６２、６３が形成されている。壁面Ｗに取り付ける際の位置調整を容易にするため、上部のビス挿通孔６２は縦長孔に、下部のビス挿通孔６３は横長孔に、それぞれ形成されており、さらに、下部のビス挿通孔６３から防水パッキン６の下縁部にかけて、縦方向に伸びる水抜き用の切欠部６４が形成されている。電源線引込孔６１を囲む上下左右４箇所には、取付金具７の背面に形成された突起部７８（図６、図７参照）を挿入するための突起部挿入孔６５が形成されている。
【００２４】
取付金具７は、例えばプレス成形された鋼板の表面に耐候・防錆処理を施すなどして形成された部材で、図４に示すように、略円形の下部が弓形に切欠された正面形状をなす基板部７１と、上記弓形の切欠部分を除いて基板部７１の周囲から前方に立ち上げられた周壁部７２と、周壁部７２の先端から外方に張り出した鍔部７３とを有している。図６、図７に示すように、周壁部７２の立ち上がり角度には、前方に向かって外方に拡がるような略円錐状のテーパが設けられている。
【００２５】
基板部７１の中央には、電源線を挿通させるための電源線引込孔７４が形成されている。電源線引込孔７４の内周縁部は、電源線を傷つけないようにカーリング処理されている。電源線引込孔７４を挟んで縦中心軸上の上部及び下部には、壁面取付用ビス７０を挿通させるためのビス挿通孔７５、７６が形成されている。防水パッキン６に形成されたビス挿通孔６２、６３と同様に、上部のビス挿通孔７５は縦長孔に、下部のビス挿通孔７６は横長孔に、それぞれ形成されている。また、電源線引込孔７４を挟む左右には、本体連結用ボルト８１を取り付けるためのボルト取付孔７７が形成されて、取付金具７の背面側から本体連結用ボルト８１が挿通され、その脚部前端が前方に突出している。これら、電源線引込孔７４、ビス挿通孔７５、７６、及びボルト取付孔７７の周囲は、背面側に凹所を形成するように、前方向かって略円錐台形状に打ち出されている。なお、例示の形態では、寸法の関係上、電源線引込孔７４の周囲の打ち出し部と、下部のビス挿通孔７６の周囲の打ち出し部とが一体的に形成されている。また、基板部７１の、特に上縁部近傍と防水パッキン６との接触面積を少しでも増やすために、上部のビス挿通孔７５周囲の打ち出し部は、上側の一部が正面から見てやや偏平に変形した形状となされている。
【００２６】
さらに、基板部７１の電源線引込孔７４を囲む上下左右４箇所には、背面側に略山状に突出する突起部７８が形成されている。突起部７８の突出高さは、防水パッキン６の厚みよりもやや小さく設定されている。
【００２７】
また、基板部７１の下部には、弓形に切欠された下縁部と並行する横長の補強用リブ７９が、前方に向かって打ち出されている。
【００２８】
この取付金具７は、図６、図７に示すように、壁面Ｗとの間に防水パッキン６を挟み込んだ状態で、壁面取付用ビス８１によって壁面Ｗに固定される。壁面取付用ビス８１は、上下のビス挿通孔７５、７６に嵌合された合成樹脂製の絶縁ブッシュ８２の内側に挿通されている。この壁面取付用ビス８１の締付により、防水パッキン６が壁面Ｗと取付金具７との間に圧接されて、取付金具７の背面の突起部７８が壁面Ｗに当接し、取付金具７が安定的に固定される。
【００２９】
器具本体２は、背面側が開口し、内側には灯具４の点灯制御装置（図示略）が取り付けられるとともに、下部には、背面側及び下方に開放された略箱状のセンサ収容部２１が設けられて、その内側に人感センサ５が下向きに取り付けられている。背面側開口の周縁部２２内径は、上記取付金具７の鍔部７３の外側に被装される大きさに形成されるとともに、上記開口の内周面には、上記鍔部７３の前面に当接する段部２３が設けられている。段部２３の外径は鍔部７３の外径よりもわずかに大きく、段部２３の内径は鍔部７３の外径よりも小さくて、好ましくは鍔部７３の内径と略合致する寸法に形成されている。さらに、段部２３の内側には適宜間隔で補強用のリブ２４が突設されており、このリブの端面は段部２３と同一面をなすように形成されている。
【００３０】
なお、器具本体２の前面部にはアーム３が連結されるが、本発明ではアーム３の構造は要部とはならないので、図５〜図７においてはアーム３の図示を省略している。
【００３１】
器具本体２の前面部には、取付金具７から前面に突出した本体連結用ボルト８３を挿通させるためのボルト挿通孔２５が形成されている。ボルト挿通孔２５の内周面は、背面側に向かって拡径する円錐テーパ面となされ、本体連結用ボルト８３を挿通させる際に、その脚部前端がボルト挿通孔２５の中心に向かって無理なく案内されるようになっている。
【００３２】
この器具本体２が、壁面Ｗに固定された取付金具７に被装され、ボルト挿通孔２５に挿通された本体連結用ボルト８３の脚部前端に器具本体２の前面側からナット部材８４が締結される。本実施形態では、器具本体２の下部に、周縁部２２の内外に跨がるようにして略箱状のセンサ収容部２１が設けられており、器具本体２を取付金具７に被装する際には、このセンサ収容部２１が、取付金具７の周壁部２２の下部を切欠した部分に挿入される。このため、取付金具７と器具本体２とが自然に位置決めされ、本体連結用ボルト８３を器具本体２のボルト挿通孔２５に容易に挿通させることができる。
【００３３】
ナット部材８４は、例えば図示のような略ハット形状の袋ネジであって、摘まみ部の外周にローレット状の凹凸が刻設され、フランジ部には環状の止水部材が貼着されているようなものを好適に使用することができる。
【００３４】
こうして、取付金具７と器具本体２とを、壁面Ｗに直交する方向に配した本体連結用ボルト８３を介して締結することにより、取付金具７と器具本体２とが、鍔部７３と段部２３とを密着させた状態で強固に結合される。
【００３５】
なお、本体連結用ボルト８３にナット部材８４を締結する際には、壁面取付用ビス８１によって縦中心軸上を壁面Ｗに固定された取付金具７に対し、左右に配された本体連結用ボルト８３を介して前方への引張力が作用するので、取付金具７の基板部７１が、図７において上方（壁面Ｗ側）を凸とする方向に湾曲変形するおそれがある。すると、基板部７１に取り付けられた本体連結用ボルト８３の脚部前端の間隔が近接して、器具本体２に形成されたボルト挿通孔２５の位置と合わなくなる事態を生じかねない。しかしながら、本発明に係る取付金具７は、周壁部７２及び鍔部７３が、基板部７１と一体的に、かつ周方向に連続するように形成されるとともに、周壁部７２及び鍔部７３が切欠された下部にも、横長の補強用リブ７９が形成されて基板部７１の曲げ剛性を補っているので、ナット部材８４を強めに締結しても上記のような湾曲変形を生じることなく、器具本体２との良好な密着を得ることができる。
【００３６】
このようにして壁面Ｗに取り付けられた器具本体２は、背面側開口の周縁部２２が取付金具７の周壁部７２を囲んでおり、器具本体２の段部２３が取付金具７の鍔部７３に密着しているので、壁面Ｗに沿って流下した雨水が取付金具７の周壁部７２に沿って吹き込んでも、鍔部７３と段部２３との密着面によって排除され、周壁部７２のテーパに沿って背面側に流れる。取付金具７の背面側に流れた雨水は、大部分は防水パッキン６の周縁部に沿って流下するが、もし防水パッキン６と取付金具７との間に浸入したとしても、取付金具７に形成された電源線引込孔７４やビス挿通孔７５、７６、ボルト取付孔７７の周囲が前方に打ち出されて防水パッキン６の表面から離隔しているため、雨水は各孔からほとんど浸入することなく、防水パッキン６の下部に形成された水抜き用の切欠部６４を経由して、図６中に矢符Ａで示した経路から下方に排出される。この経路Ａは、下向きに開口してはいるが、図示のように防水パッキン６の厚み分だけ前後方向に屈曲しているので、この経路Ａを通じて下方から雨水が吹き込む可能性もきわめて小さい。
【００３７】
また、この照明器具１は、点灯制御装置等の電気部品類を、取付金具７ではなく、器具本体２の内側に取り付けることができるので、万一、取付金具７の前面側に雨水が浸入した場合でも、取付金具７と電気部品との間に空間を確保して、電気部品が濡れるのを防ぐことができる。
【００３８】
さらに、この照明器具１では、器具本体２の内部に雨水が浸入した場合に備えて、器具本体２の下部近傍に水抜き用の切欠部を設けておくこともできる。例示の形態では、図５に示すように、センサ収容部２１と周縁部２２とによって形成される最下部の隅部に水抜き用の切欠部２６を設けることにより、器具本体２の内部に浸入した雨水を円滑に排出できるようにしている。
【実施例２】
【００３９】
図８は本発明の第一実施例を示す。本実施例と上記第一実施例とは、器具本体２の背面側開口における内周面の形態が相違しており、その他の部分は共通である。
【００４０】
器具本体２の背面側開口は、取付金具７の鍔部７３の外側に被装される周縁部２２から、前面側に向かって縮径する略円錐面状のテーパ部２７に連続しており、このテーパ部２７の前部は、鍔部７３の外径よりも小さくなっている。このような器具本体２を取付金具７に被装し、第一実施例と同様に本体連結用ボルト８３とナット部材８４とによって結合すると、取付金具７の鍔部７３と器具本体２のテーパ部２７とが線接触状態で強固に密着することとなる。したがって、このような構成によっても、上記第一実施例と同様の防水効果を得ることができる。
【００４１】
なお、テーパ部２７の断面形状は、図示のように直線的に傾斜するものに限らず、内側または外側に湾曲しながら曲線的に縮径するようなものであってもよい。
【図面の簡単な説明】
【００４２】
【図１】本発明の第一実施例に係る照明器具の全体構成を示す分解斜視図である。
【図２】上記照明器具の側面図である。
【図３】上記実施例に係る防水パッキンの正面図である。
【図４】同じく、取付金具の正面図である。
【図５】同じく、器具本体の背面図である。
【図６】上記実施例に係る防水構造を示す縦方向断面図である。
【図７】同じく、横方向断面図である。
【図８】本発明の第二実施例に係る防水構造を示す横方向断面図である。
【図９】従来の照明器具の防水構造を示す縦断面図である。
【符号の説明】
【００４３】
１    照明器具
２    器具本体
２１  センサ収納部（装置収納部）
２２  周縁部
２３  段部
２５  ボルト挿通孔
２６  切欠部
２７  テーパ部
６    防水パッキン
６１  電源線引込孔
６２  ビス挿通孔
６３  ビス挿通孔
６４  切欠部
７    取付金具
７１  基板部
７２  周壁部
７３  鍔部
７４  電源線引込孔
７５  ビス挿通孔
７６  ビス挿通孔
７７  ボルト取付孔
８１  壁面取付用ビス
８３  本体連結用ボルト
８４  ナット部材
Ｗ    壁面
【図１】
2005251524.tif 000003
【図２】
2005251524.tif 000004
【図３】
2005251524.tif 000005
【図４】
2005251524.tif 000006
【図５】
2005251524.tif 000007
【図６】
2005251524.tif 000008
【図７】
2005251524.tif 000009
【図８】
2005251524.tif 000010
【図９】
2005251524.tif 000011